(57)【要約】      （修正有）【課題】狭隘な室内で簡易に使用でき、組み立て、解体が容易で、作業面積の変化に対応ができ、連接されたまま移動性に優れ、足場高さを自由に調整できる作業足場を提供する。【解決手段】連接、移動可能な組み立て式作業足場において、２本の縦部材２の上下に横部材３を固定して支柱枠１を形成し、前記支柱枠１の縦部材２に交差筋かい４を着脱自在に設け、前記支柱枠１を複数対向配置し相対する縦部材２間に交差筋かい４をピン連結して自立性の足場架台を組み立て、前記縦部材２の下端の球状体収容部６に球状体１５を回転自在に収容して前記足場架台を移動可能とし、前記支柱枠１の縦部材２に連結雌部１７、１８を備え、複数の足場架台を水平継ぎ部材２２により連接可能とし、前記支柱枠１の上部の横部材３、上部の水平継ぎ部材２２に足場板５を着脱自在に設置可能とすることを特徴とする。【選択図】  図１
2007321521.tif 000002
【特許請求の範囲】
【請求項１】
２本の縦部材の上下に横部材を固定して支柱枠を形成し、前記支柱枠の縦部材に交差筋かいを着脱自在に連結する交差筋かいのピン連結部を設け、前記支柱枠を複数対向配置し相対する縦部材間に交差筋かいをピン連結して自立性の足場架台を組み立て、前記縦部材の下端に球状体を抜け止め部材を介して収容する球状体収容部を備え、前記球状体収容部に球状体を回転自在に収容して前記足場架台を移動可能とし、前記支柱枠の縦部材の前記横部材との固定部の反対側側面に水平継ぎ部材の連結雄部を落とし込み収容する連結雌部を備え、複数の足場架台を水平継ぎ部材により連接可能とし、前記支柱枠の上部の横部材、上部の水平継ぎ部材に足場板を着脱自在に設置可能とすることを特徴とする連接、移動可能な組み立て式作業足場。
【請求項２】
前記支柱枠の縦部材を内管と外管で構成し、外管を内管に対して伸縮自在とし、且つ外管と内管を係止ピンで固定可能として前記作業床の高さを調節可能とすることを特徴とする請求項１記載の連接、移動可能な組み立て式作業足場。
【請求項３】
前記支柱枠の縦部材下端に固定される球状体収容部内に楔材を着脱自在に挿入可能とし、球状体を回転可能状態又は回転不能状態とすることを特徴とする請求項１又は２に記載の連接、移動可能な組み立て式作業足場。
【請求項４】
前記支柱枠の２本の縦部材間の上部間隔が下部間隔より狭い台形形状とすることを特徴とする請求項１〜３のいずれかに記載の連接、移動可能な組み立て式作業足場。
【請求項５】
前記支柱枠の縦部材と上下の横部材との固定部の内側コーナ部に補強プレートを設置し、下部補強プレートに高さ調整用の係止ピン及び球状体収容部に差し込む楔材を保持する保持部を形成することを特徴とする請求項１〜４のいずれかに記載の連接、移動可能な組み立て式作業足場。
【請求項６】
前記足場板を縦横の枠材にエキスパンドメタルを張設して構成し、枠材の中央部にムクリを形成し、前記ムクリの周辺部の枠材を補強材で補強することを特徴とする請求項１〜５のいずれかに記載の連接、移動可能な組み立て式作業足場。
【発明の詳細な説明】
【技術分野】
【０００１】
本発明は、室内での内装工事等の狭い箇所での作業に好適な連接、移動可能な組み立て式作業足場に関する。
【背景技術】
【０００２】
一戸建住宅、マンション、ホテル、病院のような各室が狭い建物内部の天井、壁面の内装工事、ベランダ、廊下のように細長い部分の仕上げ工事を行う際、作業員が乗る足場架台として脚立を用いたり、或いは、脚立と脚立の間に大引を渡しその上に足場板を敷き並べてゴムバンド等で結束して作業足場として使用しているのが現状である。また、脚立の４本の脚部下端に車輪を取り付け、前記車輪の内の特定の車輪を駆動手段により駆動する自走式の作業足場や、折り畳み式の作業足場も開発されている。
【特許文献１】特開２００１−２８００４７号公報
【特許文献２】特開平１１−９３３９９号公報
【特許文献３】特開２００３−２５３８７７号公報
【発明の開示】
【発明が解決しようとする課題】
【０００３】
しかしながら、従来の脚立と脚立の間に大引を渡しその上に足場板を敷き並べてゴムバンド等で結束した作業足場は、作業の都度組み立て解体を繰り返し、作業の無駄が多く、安全上も好ましくなく、資材の移動時に仕上がった部分に傷を付けるという問題も発生する。建物内部に作業足場として要求されることは、重量の軽量化、構成の簡素化、建物内部への搬入の容易性、横長な作業や縦横の作業面積の大きい作業への対応の確保、組み立ての容易性である。しかしながら、従来の建物内の作業足場は、作業面積を大きくとれず、自走式の作業足場の場合、その構成も複雑であり、重量が大きくなり、使い勝手のよい作業足場ではなかった。
【０００４】
本発明は、下記のような従来の作業足場の課題を解決することを目的とする。
（１）狭隘な室内で簡易に使用できること。
（２）横長な作業面での作業、縦横の作業面積の大きい作業に応じて、横長の作業足場、縦横の作業面積の大きな作業足場としても使用可能であること。
（３）作業足場を組み立てたまま、小さい力でどの方向にも移動可能とすること。
（４）複数の作業足場の組み立て部品の連接、切り離しが簡単にできること。
（５）資材の短尺化と軽量化により運搬を容易にすること。
（６）足場高さを自由に調整できること。
（７）作業効率、安全性が高いこと。
（８）管理が容易で且つ、工費、経費の削減に寄与できること。
【課題を解決するための手段】
【０００５】
本第１発明は、前記課題を解決するために、連接、移動可能な連接組み立て式作業足場において、２本の縦部材の上下に横部材を固定して支柱枠を形成し、前記支柱枠の縦部材に交差筋かいを着脱自在に連結する交差筋かいのピン連結部を設け、前記支柱枠を複数対向配置し相対する縦部材間に交差筋かいをピン連結して自立性の足場架台を組み立て、前記縦部材の下端に球状体を抜け止め部材を介して収容する球状体収容部を備え、前記球状体収容部に球状体を回転自在に収容して前記足場架台を移動可能とし、前記支柱枠の縦部材の前記横部材との固定部の反対側側面に水平継ぎ部材の連結雄部を落とし込み収容する連結雌部を備え、複数の足場架台を水平継ぎ部材により連接可能とし、前記支柱枠の上部の横部材、上部の水平継ぎ部材に足場板を着脱自在に設置可能とすることを特徴とする。
【０００６】
本第２発明は、本第１発明の連接、移動可能な組み立て式作業足場において、前記支柱枠の縦部材を内管と外管で構成し、外管を内管に対して伸縮自在とし、且つ外管と内管を係止ピンで固定可能として前記作業足場の高さを調節可能とすることを特徴とする。
【０００７】
本第３発明は、本第１又は第２発明の連接、移動可能な組み立て式作業足場において、前記支柱枠の縦部材下端に固定される球状体収容部内に楔材を着脱自在に挿入可能とし、球状体を回転可能状態又は回転不能状態とすることを特徴とする。
【０００８】
本第４発明は、本第１〜第３発明のいずれかの連接、移動可能な組み立て式作業足場において、前記支柱枠の２本の縦部材間の上部間隔が下部間隔より狭い台形形状とすることを特徴とする。
【０００９】
本第５発明は、本第１〜第４発明のいずれかの連接、移動可能な組み立て式作業足場において、前記支柱枠の縦部材と上下の横部材との固定部の内側コーナ部に補強プレートを設置し、下部補強プレートに高さ調整用の係止ピン及び球状体収容部に差し込む楔材を保持する保持部を形成することを特徴とする。
【００１０】
本第６発明は、本第１〜第５発明のいずれかの連接、移動可能な組み立て式作業足場において、前記足場板を縦横の枠材にエキスパンドメタルを張設して構成し、枠材の中央部にムクリを形成し、前記ムクリの周辺部の枠材を補強材で補強することを特徴とする。
【発明の効果】
【００１１】
本発明の２本の縦部材の上下に横部材を固定して支柱枠を形成し、前記支柱枠の縦部材に交差筋かいを着脱自在に連結する交差筋かいのピン連結部を設け、前記支柱枠を複数対向配置し相対する縦部材間に交差筋かいをピン連結して自立性の足場架台を組み立て、前記縦部材の下端に球状体を抜け止め部材を介して収容する球状体収容部を備え、前記球状体収容部に球状体を回転自在に収容して前記足場架台を移動可能とし、前記支柱枠の縦部材の前記横部材との固定部の反対側側面に水平継ぎ部材の連結雄部を落とし込み収容する連結雌部を備え、複数の足場架台を水平継ぎ部材により連接可能とし、前記支柱枠の上部の横部材、上部の水平継ぎ部材に足場板を着脱自在に設置可能とする構成により、組み立て部品数が少なく、狭隘な室内への搬入が容易であり、クランプ、単管パイプ等の連結部材と締め付け用具を用いることなく簡単に組み立て、解体ができ、組み立て後の作業足場が小さな力でスムーズに移動することができ、横長な作業面での作業や縦横の作業面積の大きな室内の作業に応じて作業足場を簡単に連接又は切り離しできるので、使い勝手が良く作業性を向上することができる。
支柱枠の縦部材を内管と外管で構成し、外管を内管に対して伸縮自在とし、且つ外管と内管を係止ピンで固定可能として前記作業床の高さを調節可能とする構成により、簡単な作業で足場板の高さを調整できて作業性を向上することができる。
支柱枠の縦部材下端に固定される球状体収容部内に楔材を着脱自在に挿入可能とし、球状体を回転可能状態又は回転不能状態とする構成により、移動時はスムーズに球状体が回転し、作業時は、球状体が回転不能状態に保持されるので作業足場を安定させることができる。
支柱枠の２本の縦部材を傾斜させ、縦部材間の上部間隔が下部間隔より狭い台形形状とする構成により、作業時の安定性が向上する。
支柱枠の縦部材と上下の横部材との固定部の内側コーナ部に補強プレートを設置し、下部補強プレートに高さ調整用の係止ピン及び球状体収容部に差し込む楔材を保持する保持部を形成する構成により、作業足場の安定性を向上させると共に、高さ調整や、作業足場固定の際の治具を作業箇所の近傍に配置できるので作業足場の組み立て作業を容易にすることができる。
足場板を縦横の枠材にエキスパンドメタルを張設して構成し、枠材の中央部にムクリを形成し、前記ムクリの周辺部の枠材を補強材で補強する構成により、足場板の軽量化図りつつ、強度を保ち荷重による撓みを防止することができる。
【発明を実施するための最良の形態】
【００１２】
本発明の実施の形態を図により説明する。図１は、本発明の組み立て式作業足場の構成部品である支柱枠の一実施形態を示す図であり、図２は、２つの支柱枠を交差筋かいでピン連結して自立できる足場架台（支柱枠を交差ブレースでピン連結したもの）とし、支柱枠の上部横部材に足場板を載置し作業足場（足場架台に足場板を設置したも）を形成した図であり、図３は、３つの支柱枠をそれぞれ交差筋かいでピン連結し足場板を載置し横長の作業足場を形成した図である。
【００１３】
図１に示されるように作業足場を構成する支柱枠１は、２本の縦部材２に上下に横部材３を溶接で固定して形成される。支柱枠１を構成する縦部材２は、内管７と、内管７に伸縮自在に嵌挿される外管８とで構成される。内管７の下端に球状体収容部６が溶接により固定される。内管７と外管８には、係止ピン９を挿入する係止ピン用孔１０が形成され、外管８を内管７に対してスライドさせ、互いの係止ピン用孔１０を一致させ、係止ピン９を挿入して固定することにより高さを調節自在とする。支柱枠１の運搬時は、外管８を内管７に対して最も縮小した位置とし、係止ピン９を最下端の係止用ピン用孔１０に挿入し、外管８と内管７がスライドできない状態とする。また、２本の縦部材２を垂直方向に対して若干傾け、縦部材２間の上部の間隔を下部の間隔より小さくし、正面から見ると略台形状とすることにより足場架台としても安定性を向上させることができる。横部材３は縦部材２の外管８に溶接され、外管８のスライドと一緒にスライドする。
【００１４】
縦部材２の外管８の上下の横部材３との固定部の内側コーナ部に三角形状の補強板１１が溶接により固定される。縦部材２の外管８と下部横部材３の固定部の内側コーナ部に設置した補強板１１に、縦部材２の高さを調整する係止ピン９の保持部と、楔材２０（後述する）を保持する保持部を設ける。各保持部は、係止ピン９及び楔材２０を連結し伸縮自在のコイル部材の端部を係止し保持するように形成される。高さ調整用の係止ピン９と、球状体１５（後述する）の回転阻止の楔材２０を、その作業箇所の近傍に配置でき、伸縮自在のコイル部材に連結保持されるので、係止ピン９，楔材２０が紛失することなく、作業足場の組み立て作業の作業性を向上することができる。
【００１５】
支柱枠１の縦部材２の外管８の上下には、交差筋かい４をピン連結するためのピン連結部１４が設置される。図４（ａ）（ｂ）は、交差筋かい４のピン連結部１４の一部拡大図である。交差筋かい４のピン連結部１４には、連結ピン１４’がピボット連結されており、図３に示されるように、２つの支柱枠１を対向配置し、相対する支柱枠１の縦部材２のピン連結部１４と２本の交差筋かい４の端部の連結孔１２に連結ピン１４’を挿入してピン連結し、交差筋かい４をワンタッチで簡単に取り付けることができる。交差筋かい４は中央交差部の交差ピン４’を予め装着しておく。２つの支柱枠１を交差筋かい４でピン連結することにより自立する足場架台を形成する。交差筋かい４の縦部材２のピン連結部１４への連結は、ピン連結なのでワンタッチで連結できる。図３は、３つの支柱枠１をそれぞれ交差筋かい４でピン連結し、足場架台の長辺方向に長い作業足場とした図であり、室内又はベランダ、廊下、外壁等の横長の作業に適している。つまり、支柱枠１が３つで、２つ分の横長の作業足場ができ、支柱枠１が４つで、３つ分の横長作業足場を確保できるので、少ない部品数で簡単に組み立てが可能な作業足場とすることができる。
【００１６】
図５（ａ）（ｂ）（ｃ）は、支柱枠１の下端に設けられる移動手段の一部拡大図である。支柱枠１の縦部材２の内管７の下端に固定される球状体収容部６には、抜け止め部材１６を介して球状体１５が回転自在に収容される。球状収容部６は、支柱枠１の縦部材２の内管７に固定される天井部の下方に４つの側壁に囲まれた立方体の空間を備えている。球状収容部６の立方体の空間に球状体１５を収容し、球状収容部６の下端に４つの抜け止め部材１６を固定し、球状体１５が球状収容部６から抜け落ちるのを防止している。抜け止め部材１６の先端に傾斜部を形成する。球状体１５は、枠体１の全体重量が軽量であるため移動時に大きな荷重が球状体にかからないので錆などの腐食しない硬質プラスチック等の軽量材料で形成される。球状体１５は、支柱枠１を組み立てて形成される足場架台をどの方向に押してスムーズに回転し、小さい力で狭い室内で自由に移動することができる。球状体収容部６には、楔材差し込み口１９が形成される。作業足場を室内の所定の作業箇所に固定する際、楔材差し込み口１９から、下部補強プレート１１の保持部に保持された楔材２０を挿入し、球状体１５を下方向に抜け止め部材１６に向けて押圧し、球状体１５が抜け止め部材１６の先端の傾斜部に押し付け回転不能状態とし、作業足場を安定した状態で固定できる。作業終了後、楔材２０を引き抜くことにより、再び球状体１５は回転可能状態となり、スムーズに作業足場を移動できる。複数の足場架台を連接して使用する場合は、作業足場が安定しているので楔材２０を挿入しなくても良い。
【００１７】
支柱枠１の縦部材２の横部材３との上下の固定部の反対側側面に、上下の水平継ぎ部材連結用雌部１７、１８が設けられる。図６（ａ）（ｂ）は、水平継ぎ部材連結用雌部１７、１８の一部拡大図である。上下の水平継ぎ部材連結用雌部１７、１８は、縦部材２の外管８の両側面に溶接等の手段により固定される外管８の内側方向に伸びる１対の側壁部２９と、外管８の内側の面に溶接で固定される前壁部と、前記前壁部の下端から直角方向に伸びる底壁部からなるＬ字形部材３０とで構成される。側壁部２９の先端部を側壁部が伸びる方向に対して直交する方向に曲げて幅狭の開口３２を形成する。側壁部２９、Ｌ字形部材３０、側壁部２９の先端の幅狭の開口部３２で囲まれた空間が、水平継ぎ部材２２の連結用雄部２６を収容する連結雌部を構成する。
【００１８】
図７は水平継ぎ部材２２を示す図である。水平継ぎ部材２２は、中空管２５と、中空管２５の両端に挿入固定されるダボ部２８と、ダボ部から突き出す幅狭のフランジ部２７、フランジ部２７の先端に形成される幅広の連結用雄部２６により構成される。中空管２５とダボ部２８との挿入固定は、溶接、ネジ等の固定手段を用いる。フランジ部２７の幅は、水平継ぎ部材用連結雌部１７、１８の幅狭開口３１の幅より若干幅狭とし、連結用雄部２６の大きさは、連結雌部の空間にスムーズに収容できる大きさとする。複数の足場架台を連接する際、水平継ぎ部材連結用雌部１７、１８に、水平継ぎ部材２２の連結雄部２６を上から落とし込むだけで簡単にワンタッチで連接が可能であり、水平継ぎ部材２２を上に持ち上げるだけで簡単に連接を解除できる。水平継ぎ部材２２の長さは、支柱枠１の２本の縦部材２間の上部間隔が下部間隔より狭い場合、上部の水平継ぎ部材２２の長さを下部の水平継ぎ部材２２の長さより長くする。
【００１９】
図８（ａ）（ｂ）（ｃ）は、足場板５の部分拡大図である。足場板５は、縦横の枠にエキスパンドメタルを張設して軽量化されている。足場板５の両端には、枠体１の上部の横部材３や水平継ぎ部材２２に着脱自在に係止するためのフック部２１が設置される。足場板５は、軽量化のため細い枠材が使用されるので、作業員による荷重により足場板５が撓むのを防止するため、枠の中央部にムクリを予め形成し、ムクリの周囲の枠の外周を補強材で補強することにより軽量化を図りつつ強度を増強し、荷重による足場板の撓みを防止する。足場板５は、支柱枠１の横部材３又は水平継ぎ部材２２に簡単に着脱でき、軽量であり、作業面にエキスパンドメタルを使用しているので作業員が滑るのを防止できる。
【００２０】
図９は、３台の足場架台の短辺方向に水平継ぎ部材２２で連接した実施形態の概略図である。３台の足場架台の短辺方向を上下の水平継ぎ部材２２で連接し、各足場架台の上部の横部材３と上部の水平継ぎ部材２２の上に足場板５を設置し、作業面積に合った広さの作業足場としている。作業足場の縦部材２、２間の間隔が上部より下部の間隔が広いので、水平継ぎ部材２２は、上部の方が下部より長くなっている。室内の作業面積に応じて、単数又は複数の作業足場を連接したまま移動でき、又切り離しても効率良く、室内の広さに適応した作業足場を提供できる。
【００２１】
本発明の作業足場は、狭い室内等の作業で使用するため、できるだけ小型化、軽量化が望まれる。本実施形態における支柱枠１の寸法は、上部の縦部材２間の間隔が５００ｍｍ、下部の縦部材２間の間隔が５５０ｍｍ、縦部材２の高さ調整範囲７５０〜１２００ｍｍ程度とし、１対の支柱枠１を交差筋かい４で連結した場合の支柱枠２間の距離が１３００ｍｍ程度とする。足場板５の寸法は、幅が支柱枠１の上部横部材３の長さに対応して４５０ｍｍ、長さが１２５０ｍｍ程度とする。足場板５の中央部のムクリは１５ｍｍ程度とする。
【００２２】
本発明の組み立て式作業足場の使用形態としては、縦部材２、横部材３を連結し、脚部に移動可能な球状態を備えた支柱枠１、交差筋かい４、足場板５、水平継ぎ部材２０の４つの部材を、室内の作業に応じた数だけ室内に搬入する。室内に搬入された支柱枠１を交差筋かい４で連結し足場架台を形成する。複数の足場架台を作業箇所に配置し、高さ調整し、複数の足場架台を水平継ぎ部材２２で連接して、足場架台の上部の横部材３間と、上部の水平継ぎ部材２２間に足場板５を設置し作業足場とする。その際、支柱枠１下端の球状体収容部６に楔材２０を挿入して、球状体１５を回転不能状態とする。連接する足場架台の数が多い場合には、楔材２０を挿入しなくても良い。作業が終了すると、足場板５を外し、水平継ぎ部材２２を外し、交差継ぎ部材２２を外すと、搬入した時と同じ４つの部品に解体でき、容易に室内から搬出できる。同じフロアーでの作業が継続する場合、開口部の広さに合わせて切り離し、連接状態で次の作業室に移動が可能である。
【００２３】
本発明の連接、移動可能な組み立て式作業足場は、支柱枠１、交差筋かい４、足場板５、水平継ぎ部材２２の４つの部品だけで、横長の作業足場にも縦横の面積の大きな作業足場にもクランプ、単管パイプ等の連結部材と締め付け用具を一切使用することなくワンタッチで組み立て、解体ができることを最大の特徴としている。解体後の各部品は軽量で短尺なので保管スペースを多く必要とせず、経済的な組み立て式作業足場を提供できる。
【図面の簡単な説明】
【００２４】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【図８】本発明の実施形態を示す図である。
【図９】本発明の実施形態を示す図である。
【符号の説明】
【００２５】
１：支柱枠、２：縦部材、３：横部材、４：交差筋かい、４’：交差ピン、５：足場板、６：球状体収容部、７：内管、８：外管、９：係止ピン、１０：係止ピン用孔、１１：補強板、１２：連結用孔、１４：交差筋かいのピン連結部、１４’：連結ピン、１５：球状体、１６：抜け止め部材、１７：上部水平継ぎ部材連結用雌部、１８：下部水平継ぎ部材連結用雌部、１９：楔材差し込み口、２０：楔材、２１：フック部、２２：水平継ぎ部材、２３：ムクリ、２４：補強材、２５：中空管、２６：連結用雄部、２７：フランジ部、２８：ダボ部、２９：側壁部、３０：Ｌ字形部材、３２：幅狭の開口部
【図１】
2007321521.tif 000003
【図２】
2007321521.tif 000004
【図３】
2007321521.tif 000005
【図４】
2007321521.tif 000006
【図５】
2007321521.tif 000007
【図６】
2007321521.tif 000008
【図７】
2007321521.tif 000009
【図８】
2007321521.tif 000010
【図９】
2007321521.tif 000011